(57)【要約】【課題】    クーラーボックスの側面に容易に取り付けができ、また、その取付部の破損を防止したクーラーボックス取り付け用ケ−スを提供すること。【解決手段】    クーラーボックス取り付け用ケ−ス１は、ケース本体２その開口２ｂを閉塞する蓋体３を有し、側面４をクーラーボックス側面１１に取り付けられるようになっており、その取り付け側面４ａには、上方側に係止部材５が設けられ、下方側に吸盤状部材６が設けられている。係止部材５は、鈎状に形成されてクーラーボックス１０のベルト取付部１３等に形成される孔１３ａに差し込まれる。吸盤状部材６は、クーラーボックス側面１１に吸着でき、柔軟性を有する合成樹脂やゴムで吸盤部６ａと軸部６ｂが一体に形成されており、ケース本体２の取り付け側面４ａの外方へ突出させたり引っ込めたりするようにその位置を移動させることができる。【選択図】        図１
2005255216.tif 000002
【特許請求の範囲】
【請求項１】
ケース本体の側面の上方側に係止部材を有し、下方側に吸盤状部材を有することを特徴とするクーラーボックス取り付け用ケ−ス。
【請求項２】
吸盤状部材は、ケース本体を構成する材料より柔らかい材料で構成され、前記ケース本体に取り付ける軸部を有し、該軸部が可撓性を有していることを特徴とする請求項１記載のクーラーボックス取り付け用ケ−ス。
【請求項３】
吸盤状部材は、ケース本体に対し位置可変に取り付けたことを特徴とする請求項１または２記載のクーラーボックス取り付け用ケ−ス。
【請求項４】
吸盤状部材は、係止部材の下方位置からずらして両側に設けたことを特徴とする請求項１乃至３記載のクーラーボックス取り付け用ケ−ス。
【発明の詳細な説明】
【技術分野】
【０００１】
本発明は、クーラーボックスに取り付けることができるケ−スの改良に関する。
【背景技術】
【０００２】
従来から魚釣り、スポーツ、レジャー等では、魚やジュース等を収納するクーラーボックスの他に釣竿等使用する道具類や、さらにはその小物や付属品を収納したケースやバッグを持ち歩くことがあり、これだけで両手が塞がってしまうため、クーラーボックスに取り付け可能にした小物や付属品を収納するケースが使用されていた。
【０００３】
特許文献１には、クーラーボックスの側面に複数の小穴を有するカバー体を取り付け、このカバー体の小穴に鈎状の係止具を有する釣用ケースが取り付けられたクーラーボックスが示されている。
この釣用ケースは上下にそれぞれ鈎状の係止部材を有し、この係止部材を上記クーラーボックス側面の複数の小穴に係止して取り付けられている。
【０００４】
しかし、一般のクーラーボックスは、その側面上方にショルダーベルトの取り付け孔を有しているだけでその他は滑面状に形成されており、上記のように複数の小穴を有するカバー体のように適当な取付部を有していないのが実情である。
また、このように上下に鈎状の係止部材が取り付けられた釣用ケースは、クーラーボックスに取り付けて運搬するとケースが揺れて鈎状の係止部材の取付部に負荷が掛かるため破損しやすいという欠点を有していた。
【特許文献１】実用新案登録第２５６３６８９号公報
【発明の開示】
【発明が解決しようとする課題】
【０００５】
解決しようとする課題は、一般のクーラーボックスは側面上方にショルダーベルトの取り付け孔を有しているだけでその他は滑面状に形成されて適当な取付部がないため、クーラーボックスの側面に小物や付属品を収納するケースを確実に取り付けることが難しいこと。
また、上下に鈎状の係止部材が取り付けられた釣用ケースは、クーラーボックスに取り付けて運搬するとケースが揺れて鈎状の係止部材の取付部に負荷が掛かるため破損しやすいことである。
【０００６】
本発明の目的は前記欠点に鑑み、クーラーボックスの側面に容易に取り付けができ、また、その取付部の破損を防止したクーラーボックス取り付け用ケ−スを提供することである。
【課題を解決するための手段】
【０００７】
上記課題を解決するために、
請求項１に係わる本発明は、ケース本体の側面の上方側に係止部材を有し、下方側に吸盤状部材を有することを要旨とするものである。
請求項２に係わる本発明は、吸盤状部材は、ケース本体を構成する材料より柔らかい材料で構成され、前記ケース本体に取り付ける軸部を有し、該軸部が可撓性を有していることを要旨とするものである。
請求項３に係わる本発明は、吸盤状部材は、ケース本体に対し位置可変に取り付けたことを要旨とするものである。
請求項４に係わる本発明は、吸盤状部材は、係止部材の下方位置からずらして両側に設けたことを要旨とするものである。
【発明の効果】
【０００８】
請求項１の発明によるとケース本体が係止部材と吸盤状部材を有することでクーラーボックス取り付け用ケ−スをクーラーボックスの側面に容易に取り付けることができる。
請求項２の発明によると吸盤状部材の軸部が撓ることでケースに設けた係止部材の破損が防止され、収納した物の破損が防止される。
請求項３の発明によると吸盤部材の位置を動かしてクーラーボックスの側面に対応して取り付けが出来る。
請求項４の発明によるとクーラーボックス取り付け用ケ−スをクーラーボックスの側面に安定的に取り付けることができる。
【発明を実施するための最良の形態】
【０００９】
クーラーボックス取り付け用ケ−ス１は、内部に収納部２ａを有し上方に開口２ｂを有するケース本体２とケース本体２の開口２ｂを開閉可能に閉塞する蓋体３を有している。
【００１０】
クーラーボックス取り付け用ケ−ス１は、その側面４をクーラーボックス側面１１へ対向させてクーラーボックス１０に取り付けられるようになっており、その取り付け側面４ａには、上方側に係止部材５が設けられ、下方側に吸盤状部材６が設けられている。
【００１１】
係止部材５は、ケース本体２の取り付け側面４ａの開口２ｂ近傍に取り付けられ、鈎状に形成されてクーラーボックス１０のベルト取付部１３等に形成される孔１３ａに差し込むための係止片５ａが下方に向かって突出している。
【００１２】
吸盤状部材６は、柔軟性を有する合成樹脂やゴムで吸盤部６ａと軸部６ｂが一体に形成されており、軸部６ｂが台部６ｄの取り付け孔６ｅに係合し、さらに軸部６ａの端部に形成した軸部６ａより太径の抜け止め６ｃで脱落が防止されている。
【００１３】
吸盤状部材６の台部６ｄは、ケース本体２の取り付け側面４ａに止着具４ｄで取り付けた受け部４ｃと摺動可能に嵌合しており、吸盤状部材６の台部６ｄが受け部４ｃに嵌合したときに台部６ｄに螺合した操作部９の螺子９ａが挿通される溝６ｆを有している。
吸盤状部材６は、ケース本体２の取り付け側面４ａの外方へ突出させたり、引っ込めたりするようにその位置を移動させることができ、操作部９を回動して螺子を締めたり緩めたりすることで吸盤状部材６の台部６ｄの移動を阻止したり移動を可能（位置可変）にしたりできる。
【実施例１】
【００１４】
以下、図示の実施例によって本発明を説明すると、図１から図５は第１実施例で、図１はクーラーボックス取り付け用ケ−スの斜視図、図２はクーラーボックス取り付け用ケ−スとクーラーボックスの斜視図、図３はクーラーボックス取り付け用ケ−スをクーラーボックスに取り付けた斜視図、図４はクーラーボックス取り付け用ケ−スのクーラーボックス取り付け部分の拡大断面図、図５はクーラーボックス取り付け用ケ−スの吸盤部材の拡大断面である。
【００１５】
クーラーボックス取り付け用ケ−ス１は、内部に収納部２ａを有し上方に開口２ｂを有するケース本体２とケース本体２の開口２ｂを開閉可能に閉塞する蓋体３を有している。
ケース本体２は、合成樹脂等で内側壁と該側壁の２重の壁を有するように形成されており、両壁の間に合成樹脂の発泡材から成る緩衝材７が介在している。
蓋体３は、蝶番（図示せず）でケース本体２の開口２ｂに開閉可能に取り付けられ、蓋体３を開閉してケース本体２の収納部２ａに対し物の出し入れを行い、蓋体３でケース本体２の開口２ｂを閉塞した時には、ケース本体２の側面に設けた止め具８によって係止され閉塞状態が維持できるようになっている。
【００１６】
クーラーボックス取り付け用ケ−ス１は、その側面４をクーラーボックス側面１１へ対向させてクーラーボックス１０に取り付けられるようになっており、その取り付け側面４ａには、上方側に係止部材５が設けられ、下方側に吸盤状部材６が設けられている。
係止部材５と吸盤状部材６は、取り付け側面４ａの横幅の中央にそれぞれ上方側と下方側に並べて配置し、吸盤状部材６は、係止部材５からおろした垂線Ｑ上に位置することでクーラーボックス１０に取り付けた時にバランスがとれて安定して取り付けられるようになっている。
【００１７】
係止部材５は、ケース本体２の取り付け側面４ａの開口２ｂ近傍に取り付けられ、鈎状に形成されてクーラーボックス１０のベルト取付部１３等に形成される孔１３ａに差し込むための係止片５ａが下方に向かって突出している。
係止部材５は、金属等の板材で形成され、螺子、リベット等の止着具４ｂで側面４ａに取り付けられている。
【００１８】
吸盤状部材６は、柔軟性を有する合成樹脂やゴムで吸盤部６ａと軸部６ｂが一体に形成されており、軸部６ｂが台部６ｄの取り付け孔６ｅに係合し、さらに軸部６ａの端部に形成した抜け止め６ｃで脱落が防止されている。
吸盤部６ａは、滑らかに形成されたクーラーボックス側面１１に吸着して取り付くことができ、軸部６ｂに支持されている。
【００１９】
吸盤状部材６の台部６ｄは、ケース本体２の取り付け側面４ａに止着具４ｄで取り付けた受け部４ｃと摺動可能に嵌合するようになっており、吸盤状部材６の台部６ｄが受け部４ｃに嵌合したときに台部６ｄに螺合した操作部９の螺子９ａが挿通される溝６ｆを有している。
吸盤状部材６は、台部６ｄを取付部４ｃに対し矢印Ｐ方向に摺動させてケース本体２の取り付け側面４ａの外方へ突出させたり、引っ込めたり（取り付け側面４ａに近づけたり）するようにその位置を移動させることができ、操作部９を回動して螺子を締めたり緩めたりすることで吸盤状部材６の台部６ｄの移動を阻止したり移動を可能（位置可変）にしたりできる。
この吸盤状部材６の移動によって吸盤状部材６のクーラーボックス側面１１に対する吸着（止着）位置を調節できる。
【００２０】
ケース本体２の取り付け側面４ａは、横幅の中央に上下方向に凹部４ｂが形成されて取り付け側面４ａの他の部分よりも窪んで形成され、係止部材５と吸盤状部材６は、凹部４ｂ内に取り付けられている。
取り付け側面４ａの凹部４ｂの両側は、これより突出して形成された上下方向に伸びる平面となっている。
したがって、係止部材５と吸盤状部材６は、他物と接触しにくく、破損しにくい。
【００２１】
一方、一般に使用されているクーラーボックス１０は、断熱材を有する箱体で、その左右のクーラーボックス側面１１にベルト１２を保持するベルト取付部１３が形成されており、これらはベルトを挿通するためや物の係止等のために設けられた上方に開口する孔１３ａを有している。
【００２２】
前記のように構成されたクーラーボックス取り付け用ケ−ス１がクーラーボックス１０に取り付けられる時は、クーラーボックス１０のベルト取付部１３が形成されたクーラーボックス側面１１にクーラーボックス取り付け用ケ−ス１の係止部材５と吸盤状部材６を設けた取り付け側面４ａを対向させて係止部材５の係止片５ａをクーラーボックス１０のベルト取付部１３の孔１３ａに差し込んで係合し、さらに、吸盤状部材６の吸盤部６ａをクーラーボックス側面１１に押圧して吸着させる。
【００２３】
クーラーボックス取り付け用ケ−ス１の取り付け側面４ａは凹部４ｂを有しているため、クーラーボックス側面１１から突出して形成されているベルト取付部１３が凹部４ｂ内に収まり取り付け側面４ａとクーラーボックス側面１１との間隙を小さくでき安定して取り付けることが出来る。
ベルト取付部１３の突出具合によって吸盤部状材６をクーラーボックス側面１１に近づけたり離したりしてその位置を移動して調節することでクーラーボックス側面１１に確実に吸着して止着させることが出来る。
【００２４】
このようにしてクーラーボックス取り付け用ケ−ス１がクーラーボックス１０に取り付けられると係止部材５でクーラーボックス取り付け用ケ−ス１の上方側がベルト取付部１３に係止されて、脱落が防止され、さらに、吸盤状部材６の吸盤部６ａがベルト取付部１３の下方でクーラーボックス側面１１に吸着して止着され、クーラーボックス１０のベルト１２を用いてクーラーボックス１０と共に持ち運ぶことができる。
【００２５】
クーラーボックス取り付け用ケ−ス１は、吸盤状部材６を用いているためクーラーボックス側面１１に特別に係止部を形成していなくても壁面があれば止着することができ、吸盤状部材６はケース本体２、係止部材５を形成する部材より柔らかい材料で構成されているため、軸部６ｂがその柔軟性や可撓性で変形し持ち運び中の振動を和らげ係止部材５に掛かる負荷を軽減するため係止部材５の破損を防止し、収納物の破損を防止する。
又、軸部６ｂが変形するため持ち運び中振動しても吸盤状部材６のクーラーボックス側面１１に対する吸着（止着）が解除されにくい。
【００２６】
実施例１では吸盤状部材６を取付部４ｃに対し矢印Ｐ方向に摺動させてケース本体２の取り付け側面４ａの外方へ突出させたり、引っ込めたり（近づけたり）するようにその位置を移動させることができるようにしたが、吸盤状部材６を取り付け側面４ａの上下方向や左右方向に移動出来るように構成しても良い。
また、係止部材５も吸盤状部材６を移動させる構成を転用して同様に取り付け側面４ａの外方へ突出させたり、引っ込めたり（近づけたり）するなどその位置を移動出来るように形成しても良い。
【実施例２】
【００２７】
図６は第２実施例で、クーラーボックス取り付け用ケ−スの斜視図である。
【００２８】
第２実施例では、吸盤状部材６を係止部材５より下方側の係止部材５から下ろした垂線Ｑの両側にずらして設けている。
吸盤状部材６は、垂線Ｑの両側にそれぞれ１つずつ設け、また、それぞれの吸盤状部材６は同じ高さに設けているためクーラーボックス側面１１に取り付けた時に安定して取り付けることが出来る。
また、取り付けるクーラーボックス側面１１の中央に沿ってベルト１２が上下に配されているタイプのクーラーボックスにおいては、そのベルト１２を避けて吸盤状部材６をクーラーボックス側面１１に吸着して止着させることが出来る。
【００２９】
また、ケース本体２の取り付け側面４ａは、実施例１のように凹部４ｂを有しておらず平面状に形成されているため、収納部２ａが広く、ベルト取付部１３が突出していないタイプのクーラーボックスに取り付けやすくなっている。
係止部材５は係止片５ａの突出を実施例１よりも大きくして、吸盤状部材６を最も取り付け側面４ａに近づけて位置させたときの吸盤部６ａと同じだけ取り付け側面４ａから離れた位置に配されている。
なお、係止部材５は金属の板材で形成しているため、これを変形させることで取り付け側面４ａからの突出具合を調節でき、様々なタイプのクーラーボックスに取付が可能である。
他の構成は前記第１実施例と略同一である。
【産業上の利用可能性】
【００３０】
本発明は、クーラーボックスに取り付けるケ−スとして使用することができる。
【図面の簡単な説明】
【００３１】
【図１】第１実施例で、クーラーボックス取り付け用ケ−スの斜視図である。
【図２】同クーラーボックス取り付け用ケ−スとクーラーボックスの斜視図である。
【図３】同クーラーボックス取り付け用ケ−スをクーラーボックスに取り付けた斜視図である。
【図４】同クーラーボックス取り付け用ケ−スのクーラーボックス取り付け部分の拡大断面図である。
【図５】同クーラーボックス取り付け用ケ−スの吸盤部材の拡大断面である。
【図６】第２実施例で、クーラーボックス取り付け用ケ−スの斜視図である。
【符号の説明】
【００３２】
１  クーラーボックス取り付け用ケ−ス
２  ケ−ス本体
３  蓋体
４  側面
４ａ  取り付け側面
５  係止部材
６  吸盤部材
１０  クーラーボックス
１１  クーラーボックス側面
１３  ベルト取付部
１３ａ  孔
【図１】
2005255216.tif 000003
【図２】
2005255216.tif 000004
【図３】
2005255216.tif 000005
【図４】
2005255216.tif 000006
【図５】
2005255216.tif 000007
【図６】
2005255216.tif 000008